(57)【要約】【課題】プライベートな画像として記憶されている画像が公衆の面前で不意に拡大表示されないような画像表示システム及びプロジェクタを提供すること。【解決手段】複数の画像データを記憶するメモリカード４０から画像データを読み出して投影面２０上にサムネイル画像表示を行う際に、画像データの中に写真画像のようなプライベートで記憶された画像がある場合には、この写真画像に関するサムネイル画像に対し、白黒化処理などの画像加工を施してから投影表示する。【選択図】図１
2006003395.tif 000002
【特許請求の範囲】
【請求項１】
複数の画像データを記憶する記憶手段を具備する記憶装置と、
画像を表示する画像表示手段と、上記記憶手段に記憶された上記複数の画像データの内容を示す一覧表示又は上記記憶手段に記憶された上記複数の画像データの中で選択された画像データに基づく拡大表示を上記画像表示手段に選択的に行わせる表示制御手段と、を具備する画像表示装置と、
を有し、
上記表示制御手段は、所定の条件を満たす場合にのみ上記画像表示手段に上記一覧表示を行わせることを特徴とする画像表示システム。
【請求項２】
上記表示制御手段は、上記所定の条件を満たさない場合には画像加工を行ってから上記画像表示手段に一覧表示を行わせることを特徴とする請求項１に記載の画像表示システム。
【請求項３】
上記所定条件は、上記記憶手段に記憶された複数の画像データに写真画像が含まれていない場合であること特徴とする請求項１に記載の画像表示システム。
【請求項４】
上記画像表示装置は、
投影面に画像を投影することにより該投影面上に画像を表示するプロジェクタであり、
上記投影面までの距離を測定する測距手段を更に有し、
上記所定の条件は、
上記測距手段によって測定した距離が所定距離よりも近い場合であること特徴とする請求項１に記載の画像表示システム。
【請求項５】
上記画像加工は、画像の白黒化、画像の白黒反転、画素間引きの少なくとも何れかの加工処理であることを特徴とする請求項２に記載の画像表示システム。
【請求項６】
投影面までの距離に従って、投影表示する画像の画面大きさが所定の大きさよりも小さくなるように表示制御する表示制御手段を具備することを特徴とするプロジェクタ。
【請求項７】
上記表示制御手段による表示制御は、上記投影面までの距離が所定距離よりも近い場合に行われることを特徴とする請求項６に記載のプロジェクタ。
【請求項８】
投影可能な画像のアスペクト比と異なるアスペクト比の画像を投影する際に、上記アスペクト比の異なる画像の縦方向をいっぱいに拡大して投影し、横方向の余った部分にサムネイル画像を投影することを特徴とするプロジェクタ。
【発明の詳細な説明】
【技術分野】
【０００１】
本発明は、画像表示システム及びプロジェクタに関する。
【背景技術】
【０００２】
プロジェクタにおいては、プロジェクタが置かれている位置から投影面までの距離を自由に選ぶことにより、投影される画像の画面大きさを大きくしたり小さくしたりすることができる。これにより、プロジェクタ本体の大きさに関わらずに鑑賞者の人数や部屋の大きさ等に応じた大きさの画面をユーザが選ぶことができる。即ち、大きな部屋で多くの人数で楽しむ場合にはプロジェクタから投影面までの距離を長くすることで大画面での画像投影を行うことができ、小さな部屋で少ない人数で楽しむ場合にはプロジェクタと投影面との距離を短くすることで小画面での画像投影を行うことができる。
【０００３】
また、プロジェクタの中には、プロジェクタ内部のメモリから画像データを読み出し、この読み出した画像データに基づいて画像の投影が可能な製品も商品化されてきている。このようなメモリから画像データを読み出して画像投影可能なプロジェクタに関する技術として、例えば特許文献１等では、メモリ内に記憶された画像の一覧表示をスクリーン上に行って、このスクリーンに投影された一覧表示上で画像の選択が行われた場合に、選択された画像の座標を検出してその画像を拡大表示する技術が提示されている。
【特許文献１】特開２００１−１３４２５３号公報
【発明の開示】
【発明が解決しようとする課題】
【０００４】
ここで、一般にメモリの中には多くの人と一緒に楽しむために記憶された画像ばかりではなく、ユーザがプライベートで楽しみたい画像も多く記憶されていることが想定される。このようなプライベートで楽しみたい画像が、多くの人の前で拡大表示されてしまうのはあまり好ましくない。
【０００５】
また、このような状況に対応する単純な手法としては、プロジェクタの投影系とは別の表示部（例えばＬＣＤ表示部）を設けておき、この表示部上でのみ一覧表示を可能にする手法が考えられるが、これでは表示部のためのコストがかかり、また、表示部を配置するためのスペースも必要となる。
【０００６】
本発明は、上記の事情に鑑みてなされたものであり、プライベートな画像として記憶されている画像が公衆の面前で不意に拡大表示されないような画像表示システム及びプロジェクタを提供することを目的とする。
【課題を解決するための手段】
【０００７】
上記の目的を達成するために、本発明の第１の態様の画像表示システムは、複数の画像データを記憶する記憶手段を具備する記憶装置と、画像を表示する画像表示手段と、上記記憶手段に記憶された上記複数の画像データの内容を示す一覧表示又は上記記憶手段に記憶された上記複数の画像データの中で選択された画像データに基づく拡大表示を上記画像表示手段に選択的に行わせる表示制御手段と、を具備する画像表示装置とを有し、上記表示制御手段は、所定の条件を満たす場合にのみ上記画像表示手段に上記一覧表示を行わせることを特徴とする。
【０００８】
この第１の態様によれば、画像データの一覧表示時に所定の条件を満たすか否かで異なる表示を行うことができる。
【０００９】
また、上記の目的を達成するために、本発明の第２の態様のプロジェクタは、投影面までの距離に従って、投影表示する画像の画面大きさが所定の大きさよりも小さくなるように制御する表示制御手段を具備することを特徴とする。
【００１０】
この第２の態様によれば、投影面までの距離に応じて投影表示する画像の画面大きさが制御される。
【００１１】
また、上記の目的を達成するために、本発明の第３の態様のプロジェクタは、投影可能な画像のアスペクト比と異なるアスペクト比の画像を投影する際に、上記アスペクト比の異なる画像の縦方向をいっぱいに拡大して投影し、横方向の余った部分にサムネイル画像を投影することを特徴とする。
【００１２】
この第３の態様によれば、投影可能な画像と異なるアスペクト比の画像を投影する際に、その画面大きさの差を利用して画像を投影することができる。
【発明の効果】
【００１３】
本発明によれば、プライベートな画像として記憶されている画像が公衆の面前で不意に拡大表示されないような画像表示システム及びプロジェクタを提供することができる。
【発明を実施するための最良の形態】
【００１４】
以下、図面を参照して本発明の実施形態について説明する。  
［第１の実施形態］
図１は本発明の第１の実施形態に係る画像表示システムの構成を示すブロック図である。ここで、図１の画像表示システムは、画像表示装置としてのプロジェクタと記録装置としてのメモリカードとから構成されている。ここで、近年ではハイビジョン放送などを通じてワイド画面で高精細の画像表示が可能な機器が増加してきており、図１のプロジェクタも、ハイビジョン規格に対応するアスペクト比（画面の縦横比）の画面で画像を投影することができるハイビジョンプロジェクタを想定している。
【００１５】
図１において、光源ランプ１は、投影面２０に画像３０を投影するための白色光源である。この光源ランプ１は光源駆動回路１ａによって駆動する。また、光源ランプ１の近傍には、光源ランプ１の光を楕円集光するための楕円集光ミラー２が設けられている。更に楕円集光ミラー２の集光方向に回転式のカラーホイール３，４と、ライトガイド５とが配置されている。
【００１６】
即ち、光源ランプ１からの光は、まず楕円集光ミラー２によって集光され、カラーホイール３，４を介してライトガイド５に集められる。ここで、カラーホイール３，４は図２に示すように複数のカラーフィルタ部（ＲＧＢの３色及び透明Ｗ）から構成されている。ここで、カラーホイール３とカラーホイール４とでは、それぞれの色のカラーフィルタ部の面積比が異なっている。即ち、カラーホイール３のほうが透明部の割合が大きくなっている。
【００１７】
このような構成において、光源ランプ１からの光がカラーホイール３及び４のカラーフィルタ部を通過すると、白色光成分のうちの特定の周波数成分の光が吸収される。これにより、光に色が付けられる。また、カラーホイール３，４はそれぞれモータ３ａ，４ａによって回転可能に構成されており、あるタイミングでは、ＲＧＢ（及びＷ）の何れかの光しか通過しない。しかしながら、高速で色を重ねていくことにより、鑑賞者の目には正しく彩色された画像を見せることができる。更に、図２に示すようにカラーホイール３，４の何れの色のカラーフィルタ部に光が通過しているのかをフォトカプラ３ｃ，４ｃによって検出することができる。
【００１８】
ここで、本プロジェクタは、色再現性優先の画像投影と明るさ優先の画像投影とを行うことが可能になっている。これら投影の切り換えは、カラーホイール３，４を適切に切り換え制御することによって行う。ここで、カラーホイール３は、明るさ優先の画像投影を行うためのカラーホイールであり、透明部の割合が多くなっている。一方、カラーホイール４は色再現性優先の画像投影を行うためのカラーホイールであり、透明部の割合が少なくなっている。
【００１９】
カラーホイール３，４を通過した光は、ライトガイド５において均一な面の光に変換される。ライトガイド５から出力された光は、コンデンサレンズ６を介してミラー７に入射する。そして、ミラー７によって反射された光がミラー８に入射し、ミラー８によって反射された光がデジタルミラーデバイス（ＤＭＤ）９に入射する。このＤＭＤ９によって画像３０が形成される。
【００２０】
ここで、ＤＭＤ９は複数の微小ミラー（画素ミラー）から構成されている。これら画素ミラーは、画素制御回路９ａによって制御され、光源ランプ１から入射してきた光線の方向を投影レンズ１０の方向に向けたり、投影レンズ１０と異なる方向に偏向させたりできるように構成されている。画素制御回路９ａの制御は、マイクロコンピュータ等からなる表示制御手段としての演算制御回路（ＣＰＵ）１１が行う。即ち、ＣＰＵ１１は、プロジェタに装着されたメモリカード４０内のデジタルの画像データ４０ａに基づいて画素制御回路９ａを制御してＤＭＤ９の駆動を行う。なお、第１の実施形態の画像データ４０ａには、更にサムネイル表示用の画像データ（サムネイル画像データと称する）も記憶されており、ＣＰＵ１１はこのサムネイル画像データを読み出して、後述するサムネイル画像の投影も行う。なお、図１の例では、記憶装置としてプロジェクタに対して着脱自在なメモリカード４０を用いているが、画像データを記憶させた記憶装置をプロジェクタに内蔵させるようにしても良い。
【００２１】
また、ＣＰＵ１１には、操作スイッチ部１１ａが設けられている。即ち、画像の投影者等により操作スイッチ部１１ａが操作されると、ＣＰＵ１１は、操作スイッチ部１１ａの操作状態に応じた各種制御を実行する。
【００２２】
また、ＣＰＵ１１は、モータ３ａ，４ａの回転速度等を制御するモータドライバ（ＭＤ）３ｂ，４ｂの制御も行う。これにより、例えば所定の色の濃淡は、カラーホイール上のカラーフィルタ部を光が通過するタイミングにおいてＤＭＤ９の画素ミラーを何回投影レンズ１０に向けるかによって制御することができる。即ち、所定の微小時間内に投影レンズ１０に向かって光を照射する回数を増やせば色は濃く（明るく）なり、反対に、投影レンズ１０と異なる方向に偏向させる回数を増やせば色は薄く（暗く）なる。
【００２３】
また、図１のプロジェクタは、オートフォーカス用の受光レンズ１２とセンサ１３ａ，１３ｂを有している。ＣＰＵ１１は、センサ１３ａ，１３ｂに入射した光の光量を受光量検出回路１３ｃから出力される信号によって検出し、この検出した光量に基づいて投影レンズ１０のピント位置をレンズドライブ（ＬＤ）回路１４を介して制御する。このような投影レンズ１０のピント位置制御により、投影画像の拡大・縮小表示を行うことができる。なお、センサ１３ａ，１３ｂは、プロジェクタを遠隔操作するためのリモートコントローラ（以下、リモコンと称する）からのリモコン信号受信用のセンサと共用するようにしてもよい。
【００２４】
また、第１の実施形態では、受光レンズ１２とセンサ１３ａ，１３ｂ、及び受光量検出回路１３ｃからなる測距手段を利用して、プロジェクタからスクリーンや壁面等の投影面２０までの距離を測定することができる。そして、これら測距手段によって測定した距離の遠近に応じて最適な画像投影を行うことが可能である。例えば、プロジェクタから投影面２０までの距離が遠い場合には、色再現性優先の画像投影を行うと画面全体が暗くなってしまう可能性があるので、明るさ優先の画像投影を行うようにする。
【００２５】
この距離の測定について更に詳しく説明する。図１の例では、センサ１３ａに入射にした反射信号光の光量が受光量検出回路１３ｃによって検出され、この検出された光量に応じた切換信号がＣＰＵ１１に出力される。ＣＰＵ１１はこの切換信号に基づいて距離の遠近を判定する。例えば、投影面２０に画像投影用の画像光と異なる信号光を照射したときの投影面２０からの反射信号光に基づく切換信号が符号２１で示すポイント相当の信号であると判定した場合には、遠距離Ｌ１と判定する。一方、投影面２０からの反射信号光に基づく切換信号が符号２２で示すポイント相当の信号であると判定した場合には、近距離Ｌ２と判定する。このような測定を行うために、例えばセンサ等に測距用の投光源を設けておくようにすることが好ましい。また、符号２１や２３で示す複数の方向に信号光を照射し、その反射信号光がセンサ１３ａ，１３ｂの何れのセンサに入射するかを検出し、センサ１３ａに入射した時には遠距離Ｌ１、センサ１３ｂに入射した時には近距離Ｌ２と判定するようにしてもよい。このような場合に、遠距離Ｌ１と近距離Ｌ２の中間の距離は２つのセンサ１３ａ，１３ｂに入射する光の光量比率によって判定すれば良い。また、遠距離Ｌ１よりも遠い距離は、センサに入射する反射信号光の光量が所定量より減少したか否かによって判定することができる。
【００２６】
ここで、明るさ優先の投影と色再現性優先の投影との切り換えは、上記したように投影面２０までの距離によって切り換える手法に限るものではない。例えば、先のセンサ１３ａを利用して周囲の明るさを検出し、これに基づいて切り換えを行うようにしても良い。即ち、プロジェクタの投影がない状態でも明るい場合には、画像が見えにくくなるので、明るさ優先の投影を行うようにする。
【００２７】
また、投影する画像が色再現性を優先すべき図３（ａ）のような写真画像か又は明るさを優先すべき図３（ｂ）のようなプレゼンテーション用の画像かを判定して、色再現性優先の投影と明るさ優先の投影とを切り換えるようにしても良い。ここで、写真画像はユーザがプライベートでメモリカードに記憶させた画像である可能性が高いので、写真画像のようなプライベートで撮影された画像であると判定された場合には、投影レンズ１０の位置を制御して不意に拡大表示が行われないようにすることがより好ましい。
【００２８】
図６は、図１のプロジェクタに入力された画像の種別を判定する手法について説明するためのフローチャートである。このような判定はＣＰＵ１１において行われる。
【００２９】
即ち、ＣＰＵ１１は、所定値以上の明るさの画素の数をカウントし（ステップＳ１１）、このカウントした画素の数の全画素の数に対する割合を求める（ステップＳ１２）。次に、ＣＰＵ１１は、ステップＳ１２で求めた割合が８０％以上であるか否かを判定する（ステップＳ１３）。なお、８０％という数値は一例であり、変更可能である。
【００３０】
ステップＳ１３の判定において、所定明るさ以上の画素の割合が８０％以上であると判定した場合には図３（ｂ）のようなプレゼンテーション用の画像であると判定し、明るさ優先の投影に切り換える。一方、ステップＳ１３の判定において、所定明るさ以上の画素の割合が８０％未満であると判定した場合には画像の所定部分の所定範囲（例えば、図３（ａ）又は図３（ｂ）の破線部）におけるコントラスト変化の頻度を検出する（ステップＳ１４）。そして、ＣＰＵ１１は、コントラスト変化の頻度が高いか否かを判定する（ステップＳ１５）。ステップＳ１５の判定において、変化の頻度が大きいと判定した場合には、写真画像であると判定し、色再現性優先の投影に切り換える（ステップＳ１６）。このような切り換えを行うのは、図３（ａ）のような写真画像は陰影が細かく変化している、即ちコントラスト変化の頻度が大きく、図３（ｂ）のような画像はコントラスト変化の量は大きいものの、コントラスト変化の頻度は小さいことを理由としている。ここで、図３（ａ）及び図３（ｂ）のそれぞれの画像の左右方向中央部（図において垂直方向の破線で示す部分）のコントラスト変化を図４（ａ）及び図４（ｂ）に示す。また、図３（ａ）のような画像では、画像の上部が空である場合が多いので、画面の下端から１／３の部分における画像の左右方向（図において水平方向の破線で示す）のコントラスト変化を示すと、それぞれ図５（ａ）及び図５（ｂ）のようになる。
【００３１】
図５（ａ）及び図５（ｂ）に示すように、図３（ａ）のような写真画像の場合は、図３（ｂ）のようなプレゼンテーション用の画像よりも細かい周波数でコントラストが変化する。したがって、コントラスト変化に基づいて写真画像であると判定することができる。もちろん、コントラストのピークや規則性によって両者を判定するようにしてもよい。
【００３２】
また、ステップＳ１５の判定において、変化の頻度が小さいと判定した場合には、画像の色調変化を検出し（ステップＳ１７）、色調変化が小さいか否かを判定する（ステップＳ１８）。即ち、図３（ｂ）のような画像では、白い背景や青い背景など特定の色調が画像の大部分を占めていることが多く、色調変化が少ないと考えられる。そこで、ステップＳ１８のような判定を行い、色調変化が大きい時のみ写真画像であると判定し、色再現性優先の投影に切り換える。
【００３３】
以上のような手法によって、入力された画像データの種別を判定することができる。なお、画像データの記憶時に、この画像データに関する情報（画像情報）４０ｂも同時に記憶させておくようにすれば、ユーザがプライベートな画像としてメモリカードに記憶させた画像であるか、またはプレゼンテーション画像などの公衆に見せる目的でメモリカードに記憶させた画像であるかを容易に判定することができる。
【００３４】
このような手法で画像の種類を判別できる構成において、ＣＰＵ１１が図７のようなフローチャートに従った制御を実行すれば、画像に応じた投影を行うことができ、最適な描写表示が可能である。
【００３５】
図７において、ＣＰＵ１１は、メモリカード４０内に記憶されているサムネイル画像データを読み出し（ステップＳ２１）、この読み出したサムネイル画像データに対して図４のような判定を行い、写真画像のようにユーザがプライベートでメモリカード４０に記憶させた画像かプレゼンテーション用の画像であるかを判定する（ステップＳ２２）。このステップＳ２２の判定は、画像情報４０ｂから判定するようにしても良い。ステップＳ２２の判定において、プライベートで記憶させた画像であると判定した場合には、多くの人に見られると恥ずかしい画像であるとして、ステップＳ２２をステップＳ２３に分岐してプライベートで記憶させた画像のサムネイル画像を白黒化（２値化）して投影表示する（ステップＳ２３）。一方、ステップＳ２２の判定において、プレゼンテーション用の画像であると判定した場合には、ステップＳ２３をステップＳ２４に分岐してサムネイル画像をカラーで投影表示する（ステップＳ２４）。
【００３６】
このようにして、図８（ａ）に示すようにサムネイル画像３０ａが順次表示され並べられていく。このとき、写真画像のようなプライベートで記憶された画像とプレゼンテーション用の画像とで異なるサムネイル画像表示を行う事によって、ユーザはプライベートな画像として記憶された画像をすぐに認識できる。また、プレゼンテーション用の画像が複数枚ある場合には、画像投影の際の背景色を画像ごとに変えるようにすれば、色の情報によってどれがどの画像であるかをすぐに判定する事ができる。
【００３７】
なお、ここでは、ステップＳ２３においてプライベートで記憶された画像であると判定されたサムネイル画像に施す処理として、画像の白黒化処理について説明したが、情報量を減少させてユーザ以外の他の人が見てもすぐに内容が分からないようにするようにしても良い。このような加工処理として、例えば画素を間引くことで解像を粗くする処理などがある。また、白黒化した画像の白黒をさらに反転させるようにしてもよい。
【００３８】
また、プレゼンテーション用の画像の場合でも、社外秘のものを持ち歩いて社外でプレゼンテーションする時には、すぐに内容が分かると問題があるので、このような場合にはユーザが外部から設定を行うことで、プライベートな画像として記憶された画像と同様の処理がなされるようにしても勿論構わない。
【００３９】
次に、ＣＰＵ１１は、サムネイル画像データの読み出しの表示が全画像分終了したか否かを判定し（ステップＳ２５）、サムネイル画像の表示が終了していないと判定した場合にはステップＳ２１に戻る。
【００４０】
一方、ステップＳ２５の判定において、サムネイル画像の表示が全画像分終了したと判定した場合には、ステップＳ２５をステップＳ２６に分岐してＣＰＵ１１は、ユーザによって画像の選択操作がなされたか否か、即ち画像３０上に表示されている何れかのサムネイル画像が選択されたか否かを判定する（ステップＳ２６）。ステップＳ２６の判定において、画像の選択操作がなされていないと判定した場合には、ステップＳ２６をステップＳ２７に分岐してＣＰＵ１１は、ユーザによって投影終了の操作がなされたか否かを判定する（ステップＳ２７）。ステップＳ２７の判定において、ユーザによって投影終了の操作がなされたと判定した場合には、ステップＳ２７をステップＳ２８に分岐して投影表示を終了して（ステップＳ２８）、図７の処理を終える。一方、ステップＳ２７の判定において、ユーザによって投影表示終了の操作がなされていないと判定した場合には、ステップＳ２６に戻る。
【００４１】
また、例えばユーザが操作スイッチ部１１ａを操作して、画像の選択をすると、ＣＰＵ１１は、ステップＳ２６においてそれを判定して、選択された画像がプライベートで撮影された写真画像であるか否かを判定する（ステップＳ２９）。ステップＳ２９の判定において、プライベートで撮影された写真画像でない、即ちプレゼンテーション用の画像であると判定した場合に、ＣＰＵ１１は、明るさ優先の投影を行うために、カラーホイールを明るさ優先のカラーホイール３に切り換えて（ステップＳ３０）、ステップＳ３４へ移行する。
【００４２】
一方、ステップＳ２９の判定において、プライベートな写真画像であると判定した場合には、選択された画像の拡大表示を行わずに、サムネイル画像のみを表示する（ステップＳ３１）。なお、プライベートな画像として記憶された画像でもユーザが拡大表示したいと感じることは考えられるので、ＣＰＵ１１は、再度同じ画像が選択されたか否かを判定する（ステップＳ３２）。ステップＳ３２の判定において、画像の再選択がなされていないと判定した場合には、ステップＳ２６に戻る。一方、ステップＳ３２の判定において、同じ画像が再び選択されたと判定した場合にはステップＳ３２をステップＳ３３に分岐して、ＣＰＵ１１は、色再現性優先の投影を行うために、カラーホイールを色再現性優先のカラーホイール４に切り換えて（ステップＳ３３）、ステップＳ３４に移行する。
【００４３】
ステップＳ３０又はステップＳ３３でカラーホイールの切り換えを行った後、ＣＰＵ１１は、ユーザによって選択された画像の拡大表示を行う（ステップＳ３４）
ここで、画像の拡大表示を行う場合には、投影する画像が写真画像であるか、あるいはプレゼンテーション用の画像であるかに応じて異なる投影を行うようにすることが好ましい。例えば、プレゼンテーション用の画像はＰＣ上で作成されることが多いが、ＰＣのディスプレイは、そのアスペクト比（縦横比）が従来の３：４で構成されていることが多い。したがって、プレゼンテーション用の画像を拡大表示する場合には、ＰＣ上で作成された画像の縦横比を変えないように拡大して投影すれば、ユーザがＰＣ上で作成したのと同じ画像をそのまま拡大して表示することができる。このために、第１の実施形態では、プレゼンテーション用の画像を表示する際に、図８（ｂ）に示すように、縦方向をいっぱいに伸ばすようにしてから、縦横比３：４を維持するように横方向を伸ばすように拡大して表示する。このとき、横長の部分３０ｂにサムネイル画像を表示するようにしても良い。このような投影を行うようにすれば、ワイド型の画面を有効に利用してサムネイル画像と拡大画像とを同時に投影表示する事も可能である。
【００４４】
以上のようにして画像の拡大表示を行った後、ＣＰＵ１１は、ユーザによってサムネイル画像表示に戻る操作がなされたか否かを判定する（ステップＳ３５）。ステップＳ３５の判定において、サムネイル画像表示に戻る操作がなされたと判定した場合には、ステップＳ３５をステップＳ３６に分岐して、ＣＰＵ１１は、図８（ｂ）の表示を図８（ａ）の表示に切り換えて拡大表示を終了させる（ステップＳ３６）。その後、ステップＳ２６に戻る。
【００４５】
一方、ステップＳ３５の判定において、サムネイル画像表示に戻る操作がなされていないと判定した場合には、ステップＳ３５をステップＳ３７に分岐して、ＣＰＵ１１はユーザによって投影終了の操作がなされたか否かを判定する（ステップＳ３７）。ステップＳ３７の判定において、ユーザによって投影終了の操作がなされたと判定した場合には、ステップＳ３７をステップＳ３８に分岐して投影表示を終了して（ステップＳ３８）、図７の処理を終える。一方、ステップＳ３７の判定において、ユーザによって投影表示終了の操作がなされていないと判定した場合には、ステップＳ３４に戻る。
【００４６】
以上説明したように、第１の実施形態によれば、プレゼンテーション用の画像や写真画像を大画面で投影表示できるプロジェクタでありながら、その画面を有効利用してＰＣやその他の補助機器なしで画像の選択を行うことができる。このときに、写真画像のようなプライベートでメモリカードに記憶された画像が多くの人の前で突然拡大表示されてしまうと、ユーザが恥ずかしい思いをしてしまう可能性があるので、このような画像は突然拡大表示されないようにしている。これにより、ユーザが恥ずかしい思いをすることがない。
【００４７】
また、第１の実施形態では、プライベートで記憶された画像であるか否かの判定をコントラスト変化や色調の変化などといった画像の特徴から自動的に判定できるようにしている。このとき、写真画像のような画像かプレゼンテーション用の画像であるかに応じて、画像の色再現性や画像の明るさを切り換えて投影表示可能としたので、より安心で美しい画像を楽しむことができる。
【００４８】
また、ハイビジョンなどのワイド画面でも画像を投影表示可能とすることによって、通常のプレゼンテーション用画像がワイド画面で作成されていない事を考慮し、そのアスペクト比の差によって生じる画像の余白部にサムネイル画像を表示できるようにしたので、画面を無駄なく使用でき、なおかつ画像にトリミングなどの加工を施さずに画像の投影表示を行うことができる。このように大きく表示された画像は迫力ある画像をよりリアルな雰囲気で伝えることができる。また、このように大きく表示された画像は、小型の液晶モニタ上に表示された画像のように、限られた人だけでなく多くの人が鑑賞することができる。
【００４９】
［第２の実施形態］
次に本発明の第２の実施形態について説明する。なお、構成については図１と同様であるので説明を省略する。
【００５０】
図９は、本発明の第２の実施形態の画像表示システムが想定しているシーンの一例を示すである。この図９のシーンは、プレゼンテーションをする人（プレゼンテータ）１０１がプロジェクタ１００に画像データが記録されたメモリカード１００ｂを装着して、プロジェクタ１００の投影レンズ１００ａから投影面に画像３０とサムネイル画像３０ａとを投影してプレゼンテーションをするときの様子を示している。ここで、サムネイル画像３０ａは、プレゼンテーションを見ている人１０２には見えない（見えにくい）ようになっている。
【００５１】
このとき、プレゼンテータ１０１はリモコン１０３を利用してプロジェクタ１００の遠隔操作が行えるようになっている。即ち、リモコン１０３からリモコン信号が送信されると、プロジェクタ１００に設けられたリモコン信号受信部１００ｃ（図１のセンサ１３ａまたはセンサ１３ｂと兼用）においてリモコン信号が受信される。ＣＰＵ１１は、受信されたリモコン信号に基づいて画像投影制御などの、プロジェクタに関する各種制御を実行する。このような構成により、プレゼンテータ１０１は、プロジェクタ１００の傍に立ってプロジェクタ１００の操作を行う必要がなく、投影面の付近に立つことができる。これにより、例えば、画像３０と共に投影されたサムネイル画像３０ａを見ながら、適当な画像を適当し、その画像を拡大したりしながら説明を続ける事ができる。
【００５２】
また、プレゼンテーション時には、投影面の前に小さなスクリーンを設けておくようし、その小スクリーン上にサムネイル画像を投影するようにしても良い。このようにすれば、プレゼンテータ１０１は、投影面上には何の画像も投影せずに、画像の選択を行うことができる。
【００５３】
以上のような工夫によって、メモリカード１００ｂに機密データやプライベートで記憶された画像データ、プレゼンテーション用の画像データ等が混在しても、これらを公衆の面前で拡大表示せずに確認することができる。
【００５４】
図１０は、第２の実施形態における投影時のフローチャートである。図１０において、ＣＰＵ１１は、メモリカード１００ｂに記録された画像データからサムネイル画像データを読み出す（ステップＳ４１）。次に、ＣＰＵ１１は、上記センサ１３ａ，１３ｂを利用して投影面までの距離Ｌを検出する（ステップＳ４２）。即ち、距離Ｌはセンサ１３ａ，１３ｂのそれぞれの入射光量によって検出することができる。もちろん、このような方式ではなく、公知の三角測距式の測距センサ等を用いて距離Ｌを検出するようにしてもよい。
【００５５】
ここで、投影面２０までの距離Ｌ、投影レンズ１００ａの焦点距離（投影レンズ１００ａからＤＭＤ９までの距離）、ＤＭＤ９の幅Ｗｄ、投影面２０に投影される画像３０の画面幅Ｗの間には、
Ｗ＝Ｌ・Ｗｄ／ｆ
の関係がある。ＣＰＵ１１は、ステップＳ４２で検出したＬから画面幅Ｗを検出し（ステップＳ４３）、このＷが所定の幅Woよりも短いか否かを判定する（ステップＳ４４）。ステップＳ４４の判定において、ＷがＷ０よりも短いと判定した場合には、図１１のように投影面２０が小さなスクリーンであり、このスクリーン上に画像が投影されるような状況であると判定する。この場合には、投影される画像３０の画面幅が十分小さいと考えられるので、ステップＳ４４をステップＳ４５に分岐して、ＣＰＵ１１は、画面全体にサムネイル画像を表示するようにする（ステップＳ４５）。一方、ステップＳ４４の判定において、ＷがＷ０以上に長いと判定した場合には、ステップＳ４４をステップＳ４６に分岐して、ＣＰＵ１１はサムネイル画像の画面幅が所定幅Ｗ０よりも短くなるように、サムネイル画像を図９のように縮小して（拡大率を下げて）投影する（ステップＳ４６）。なお、このときにサムネイル画像を投影しないようにしても良い。
【００５６】
次に、ＣＰＵ１１は、プレゼンテータ１０１によって投影終了操作がなされたか否かを判定する（ステップＳ４７）。ステップＳ４７の判定において、投影終了操作がなされていないと判定した場合には、ステップＳ４７をステップＳ４８に分岐してＣＰＵ１１は、プレゼンテータ１０１によって画像選択操作がなされたか否かを判定する（ステップＳ４８）。ステップＳ４８の判定において画像選択操作がなされていないと判定した場合には、ステップＳ４２に戻る。一方、ステップＳ４８の判定において画像選択操作がなされたと判定した場合には、ステップＳ４８をステップ４９に分岐してＣＰＵ１１は、ユーザによって選択された画像の拡大表示を行う（ステップＳ４９）。
【００５７】
次に、ＣＰＵ１１は、ユーザによってサムネイル画像表示に戻る操作がなされたか否かを判定する（ステップＳ５０）。ステップＳ５０の判定において、サムネイル画像表示に戻る操作がなされたと判定した場合には、ステップＳ５０をステップＳ５１に分岐して、ＣＰＵ１１は、サムネイル画像を表示させる（ステップＳ５１）。その後、ステップＳ４２に戻る。
【００５８】
一方、ステップＳ５０の判定において、サムネイル画像表示に戻る操作がなされていないと判定した場合には、ステップＳ５０をステップＳ５２に分岐して、ＣＰＵ１１はユーザによって投影終了の操作がなされたか否かを判定する（ステップＳ５２）。ステップ４７又はステップＳ５２の判定において、ユーザによって投影終了の操作がなされたと判定した場合には、ステップＳ５３に移行して投影表示を終了して（ステップＳ５３）、図１０の処理を終える。また、ステップＳ５２の判定において、ユーザによって投影表示終了の操作がなされていないと判定した場合には、ステップＳ４８に戻る。
【００５９】
以上説明したように、第２の実施形態によれば、メモリカードなどに雑多な画像が記録されているような場合でも、ユーザは適宜必要なデータのみを選択し拡大表示しながら、プレゼンテーションを行うことができる。また、プロジェクタに特別な表示部を持たせる事なく、簡単な構成で投影する画像の選択及び選択された画像の拡大表示をすることができる。
【００６０】
以上実施形態に基づいて本発明を説明したが、本発明は上記した実施形態に限定されるものではなく、本発明の要旨の範囲内で種々の変形や応用が可能なことは勿論である。
【００６１】
例えば、上記した各実施形態では、プロジェクタにメモリカードなどを装着した状態で画像を投影する例を説明したが、プロジェクタと画像データが記憶されているＰＣなどとを接続して画像の投影を行う場合でも、サムネイル画像をすべて鑑賞者に見せてしまうのは機密上問題があるので、画像投影時にはサムネイル画像を縮小して投影する等の工夫があった方がよい。このような場合にも上記した各実施形態で説明したような技術内容を利用することができるのは言うまでもない。
【００６２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６３】
【図１】本発明の第１の実施形態に係る画像表示システムの構成を示すブロック図である。
【図２】カラーホイールの詳細な構成を示した図である。
【図３】図３（ａ）は写真画像の例を示す図であり、図３（ｂ）はプレゼンテーション用の画像の例を示す図である。
【図４】図４（ａ）は図３（ａ）の画像の左右方向中央部における垂直方向のコントラスト変化について示す図であり、図４（ｂ）は図３（ｂ）の画像の左右方向中央部における垂直方向のコントラスト変化について示す図である。
【図５】図５（ａ）は図３（ａ）の画像の下部における左右方向のコントラスト変化について示す図であり、図５（ｂ）は図３（ｂ）の画像の下部における左右方向のコントラスト変化について示す図である。
【図６】写真画像判定の制御について示すフローチャートである。
【図７】本発明の第１の実施形態における画像投影時の制御について示すフローチャートである。
【図８】図８（ａ）はサムネイル画像を投影表示する際の例について示す図であり、図８（ｂ）はプレゼンテーション用の画像を拡大表示する際の例について示す図である。
【図９】本発明の第２の実施形態の画像表示システムが想定しているシーンの一例を示すである。
【図１０】本発明の第１の実施形態における画像投影時の制御について示すフローチャートである。
【図１１】プロジェクタから投影面までの距離が近い場合のサムネイル画像の表示例について示す図である。
【符号の説明】
【００６４】
１…光源ランプ、１ａ…光源駆動回路、２…楕円集光ミラー、３，４…カラーホイール、５…ライトガイド、６…コンデンサレンズ、７，８…ミラー、９…デジタルミラーデバイス（ＤＭＤ）、９ａ…画素制御回路、１０…投影レンズ、１１…演算制御回路（ＣＰＵ）、１１ａ…操作スイッチ部、１２…受光レンズ、１３ａ，１３ｂ…センサ、１３ｃ…受光量検出回路、１４…レンズドライブ（ＬＤ）回路、４０…メモリカード
【図１】
2006003395.tif 000003
【図２】
2006003395.tif 000004
【図３】
2006003395.tif 000005
【図４】
2006003395.tif 000006
【図５】
2006003395.tif 000007
【図６】
2006003395.tif 000008
【図７】
2006003395.tif 000009
【図８】
2006003395.tif 000010
【図９】
2006003395.tif 000011
【図１０】
2006003395.tif 000012
【図１１】
2006003395.tif 000013